(57)【特許請求の範囲】
【請求項１】
物質（Ｖ）を、特に、爪に塗布するためのアプリケータ（３）であって、
少なくとも２種類の荒毛、及び／又は、非円形断面の荒毛、及び／又は、直線形ではない荒毛を含む、荒毛（１１）の毛房（１０）と、
前記荒毛（１１）の毛房（１０）を支持するステム（６）と、
シース（１５）と、
を含み、前記シースが、前記ステム（６）の長さの少なくとも一部にわたり該ステムと協働して空間（２０）を形成し、与えられるべき物質の保存を可能にするようになっており、前記シース（１５）が、少なくとも１つの横方向開口部（２１）を含み、前記シース（１５）と前記ステム（６）との間の空間（２０）を外側と連通させるようになっており、  前記荒毛（１１）の毛房（１０）が、前記ステム（６）の端部分（７）においてハウジング（２５）内に固定され、前記ハウジング（２５）が長軸（Ｘ）をもつ長円形断面の開口部を有し、前記ステム（６）の断面に少なくとも１つの凹部（４６）を有し、前記ステム（６）を断面でみたとき、少なくとも１つの前記凹み（４６）が、該ハウジングの前記長軸（Ｘ）に沿った実質的に中央部に位置されている、ことを特徴とするアプリケータ。
【請求項２】
アプリケータ要素と、
前記アプリケータ要素を支持するステム（６）と、
シースと、
を含み、前記シースが、前記ステムの長さの少なくとも一部にわたり該ステムと協働して空間（２０）を形成し、与えられるべき物質の保存を可能にし、該シース及び該ステムが、前記空間が、該ステムの長さの少なくとも一部にわたり、該ステムの周りで変化する厚さを呈するようにされた断面を呈するようになっており、前記シース（１５）が、少なくとも１つの横方向開口部（２１）を含み、前記シース（１５）と前記ステム（６）との間の空間（２０）を外側と連通させるようになっており、
前記アプリケータ要素が、前記ステム（６）の端部分（７）においてハウジング（２５）内に固定され、前記ハウジング（２５）が長軸（Ｘ）をもつ長円形断面の開口部を有し、前記ステム（６）の断面に少なくとも１つの凹部（４６）を有し、前記ステム（６）を断面でみたとき、少なくとも１つの前記凹み（４６）が、該ハウジングの前記長軸（Ｘ）に沿った実質的に中央部に位置されている、ことを特徴とするアプリケータ。
【請求項３】
少なくとも、前記アプリケータ要素に隣接する端部の近傍において、前記ステム（６）が、凹み（４６）を呈する外形を有する少なくとも１つの断面を呈することを特徴とする請求項２に記載のアプリケータ。
【請求項４】
前記荒毛の毛房（１０）が、異なる組成の少なくとも２つの荒毛（１１）を含むことを特徴とする請求項１に記載のアプリケータ。
【請求項５】
前記荒毛の毛房（１０）が、異なる寸法、特に、異なる長さ、及び／又は、異なる最大横方向寸法を有する少なくとも２つの荒毛（１１）を含むことを特徴とする請求項１に記載のアプリケータ。
【請求項６】
長い荒毛の長さが、短い荒毛の長さより１０％以上長いことを特徴とする請求項５に記載のアプリケータ。
【請求項７】
厚い荒毛の最大横方向寸法が、薄い荒毛の最大横方向寸法より１５％以上厚いことを特徴とする請求項５に記載のアプリケータ。
【請求項８】
前記荒毛（１１）の毛房（１０）が、異なる形状、特に、異なる縦方向形状部、及び／又は、異なる断面を有する少なくとも２つの荒毛（１１）を含むことを特徴とする請求項１に記載のアプリケータ。
【請求項９】
前記荒毛（１１）が、異なる縦方向形状部を有することを特徴とする請求項８に記載のアプリケータ。
【請求項１０】
前記荒毛（１１）が、異なる断面を有することを特徴とする請求項８に記載のアプリケータ。
【請求項１１】
前記荒毛の毛房が、直線状の荒毛及び波状の荒毛からなることを特徴とする請求項８に記載のアプリケータ。
【請求項１２】
前記毛房（１０）において、前記直線状の荒毛の割合が６０％から８０％までであり、特に、約７０％であり、前記波状の荒毛の割合が２０％から４０％までであり、特に、約３０％であることを特徴とする請求項１１に記載のアプリケータ。
【請求項１３】
前記毛房において、少なくとも２種類の荒毛の各々が、前記アプリケータの荒毛の総数の少なくとも２％に相当する荒毛の数を有することを特徴とする請求項１に記載のアプリケータ。
【請求項１４】
前記シース（１５）が、前記ステム（６）とだけ協働して空間（２０）を形成し、物質の保持を可能にするようになったことを特徴とする請求項１から請求項１２までのいずれか１項に記載のアプリケータ。
【請求項１５】
前記シース（１５）が、前記荒毛（１１）及び前記ステム（６）の両方と協働して空間（２０）を形成し、物質の保持を可能にするようになったことを特徴とする請求項１に記載のアプリケータ。
【請求項１６】
前記開口部（２１）が、少なくとも９ｍｍ2、より好ましくは少なくとも１６ｍｍ2にわたり延びることを特徴とする請求項１から請求項１５のいずれかに記載のアプリケータ。
【請求項１７】
前記開口部（２１）が、少なくとも２０ｍｍ2、特に約２５ｍｍ2にわたり延びることを特徴とする請求項１から請求項１５のいずれかに記載のアプリケータ。
【請求項１８】
前記シース（１５）と前記ステム（６）との間の空間（２０）が、毛管現象により、物質を該空間（２０）の中に保持することができるように配置されたことを特徴とする請求項１から１７のいずれかに記載のアプリケータ。
【請求項１９】
前記シース（１５）が剛性であることを特徴とする請求項１から１７のいずれかに記載のアプリケータ。
【請求項２０】
前記シース（１５）が可撓性であることを特徴とする請求項１から請求項１８までのいずれか１項に記載のアプリケータ。
【請求項２１】
前記シース（１５）が、前記ステム（６）の材料とは異なる材料で製造されたことを特徴とする請求項１から２０のいずれかに記載のアプリケータ。
【請求項２２】
前記シース（１５）が、前記ステム（６）と同じ材料で製造されたことを特徴とする請求項１から請求項２０までのいずれか１項に記載のアプリケータ。
【請求項２３】
前記シース（１５）が、完全に平滑な内面（１６）を有することを特徴とする請求項１から２２のいずれかに記載のアプリケータ。
【請求項２４】
前記シース（１５）が、少なくとも１つのレリーフ部分（９２）を含む内面を呈することを特徴とする請求項１から請求項２０までのいずれか１項に記載のアプリケータ。
【請求項２５】
前記シース（１５）が、ステープル留めにより、前記ステム（６）に固定されたことを特徴とする請求項１から２４のいずれかに記載のアプリケータ。
【請求項２６】
前記シースが、スナップ嵌めにより、前記ステム上に保持されたことを特徴とする請求項１から請求項２４までのいずれか１項に記載のアプリケータ。
【請求項２７】
前記シース（１５）が、円形の断面を呈することを特徴とする請求項１から２６のいずれかに記載のアプリケータ。
【請求項２８】
その長さの少なくとも一部にわたり、前記シース（１５）が、長円形の断面を呈することを特徴とする請求項１から請求項２５までのいずれか１項に記載のアプリケータ。
【請求項２９】
前記シース（１５）が、自由端において、ノッチ（４０）を含むことを特徴とする請求項１に記載のアプリケータ。
【請求項３０】
前記シースが、その断面において、少なくとも１つの凹み（１３１）を呈することを特徴とする請求項２に記載のアプリケータ。
【請求項３１】
前記凹み（１３１）が、少なくとも、前記アプリケータ要素に隣接する前記シースの端部の近傍において存在することを特徴とする請求項３０に記載のアプリケータ。
【請求項３２】
少なくとも、前記荒毛の毛房（１０）に隣接する端部の近傍において、前記ステム（６）が、少なくとも１つの凹み（４６）を呈する輪郭を有する断面を呈することを特徴とする請求項１に記載のアプリケータ。
【請求項３３】
前記ステム（６）が、互いに対向して位置された２つの凹み（４６）を含むことを特徴とする請求項１から３２のいずれかに記載のアプリケータ。
【請求項３４】
前記シース（１５）が、変化する内側断面を呈することを特徴とする請求項１に記載のアプリケータ。
【請求項３５】
前記シース（１５）が、一方の軸方向端部において円形の内側断面を呈し、反対側の軸方向端部において平らな内側断面を呈することを特徴とする請求項３４に記載のアプリケータ。
【請求項３６】
前記シースと前記ステムとが異なる形状の断面であり、該シースと該ステムとの間の間隔が周方向に変化するようになったことを特徴とする請求項２に記載のアプリケータ。
【請求項３７】
前記ステムが、該ステムの少なくとも一部に沿って延びる少なくとも１つの直線形の溝を含むことを特徴とする請求項２に記載のアプリケータ。
【請求項３８】
前記ステムが、互いに対向して位置された２つの直線形の溝を含むことを特徴とする請求項２に記載のアプリケータ。
【請求項３９】
前記溝が、前記ステム又は前記アプリケータ要素の横に位置されたシースの端部において、軸方向に開いたことを特徴とする請求項３７又は請求項３８に記載のアプリケータ。
【請求項４０】
前記ステムの壁厚が、前記アプリケータ要素を受け取る該ステムのハウジングの周りにおいて変化することができることを特徴とする請求項２に記載のアプリケータ。
【請求項４１】
物質を、特に爪に塗布するための装置（１）であって、前記装置が、塗布されるべき物質を含有する受け部（２）と、請求項１から請求項４０のいずれかに記載されたアプリケータ（３）とからなることを特徴とする装置。
【請求項４２】
前記ステム（６）を支持する閉鎖キャップ（５）を含み、前記受け部（２）がねじ付きネック部（４）を含み、前記閉鎖キャップ（５）が、前記ネック部上にねじ込まれるようになったことを特徴とする請求項４１に記載の装置。
【請求項４３】
ワイパを含まないことを特徴とする請求項４１又は請求項４２に記載の装置。
【請求項４４】
ワイパを含むことを特徴とする請求項４１又は請求項４２に記載の装置。
【請求項４５】
前記ネック部（４）が鋭い縁（５６）を形成する自由縁（５５）を含むことを特徴とする請求項４１又は請求項４２に記載の装置。
【請求項４６】
前記ネック部（４）の上に鋭い縁（５６）を形成する取付部品（１１０）が置かれたことを特徴とする請求項４５に記載の装置。
【請求項４７】
前記取付部品（１１０）が、スナップ嵌めにより、前記受け部（２）の前記ネック部（４）に固定されたことを特徴とする請求項４６に記載の装置。
【請求項４８】
前記閉鎖キャップ（５）の長さが、前記ステム（６）の長さより長いことを特徴とする請求項４２に記載の装置。
【請求項４９】
前記シース（１５）が、９ｍｍ2より大きい断面の少なくとも１つの横方向開口部（２１）を含み、前記受け部が、少なくとも部分的に広幅された、前記横方向開口部に面するネック部を含み、前記物質が該横方向開口部の方向に流れるのを容易にするようになったことを特徴とする請求項４１から請求項４８までのいずれか1項に記載の装置。
【請求項５０】
前記横方向開口部（２１）とこれに面する前記広幅ネック部の壁との間の距離が１．５ｍｍ以上であることを特徴とする請求項４９に記載の装置。
【請求項５１】
前記アプリケータが前記受け部上の適当な位置にある場合に、前記シースが、該受け部に対して半径方向の間隙、特に、０．５ｍｍ以上の間隙を呈することを特徴とする請求項４１に記載の装置。
【請求項５２】
前記シースの上端部が前記ネックの内径より小さい外径を呈することを特徴とする請求項５１に記載の装置。
【請求項５３】
前記閉鎖キャップ（５）が該閉鎖キャップ（５）の内面に配設された複数のフィン（１２０）を含むことを特徴とする請求項４２に記載の装置。
【請求項５４】
前記受け部の外面に固定された外側リング（１２５）を含むことを特徴とする請求項４１から請求項５３までのいずれか１項に記載の装置。
【請求項５５】
通気孔（１３０）が前記シースの上縁と該シースが固定される前記アプリケータの部分との間に形成されたことを特徴とする請求項４１に記載の装置。
【発明の詳細な説明】
【技術分野】
【０００１】
本発明は、化粧品のアプリケータに関する。
【背景技術】
【０００２】
物質を爪に塗布するための荒毛の混合からなる種々のアプリケータが提案されている。欧州特許出願ＥＰ−Ａ−０  ５５６  ０８１は、異なる直径の荒毛の混合からなる、エナメルを爪に塗布するためのブラシを開示する。さらに、欧州特許出願ＥＰ−Ａ−０  ６５１  ９５５は、荒毛間に比較的大きな間隙を形成するために、異なる機械的特性を有する２種類の荒毛からなる、エナメルを爪に塗布するためのブラシを開示する。
【０００３】
さらに、米国特許番号第４８４１９９６号は、液体、特にネイルエナメルを塗布するためのアプリケータ装置を開示し、この装置は、液体を格納するのに適した保存手段を含み、前述の液体が、該液体を格納している受け部から出される場合に、ブラシの荒毛が供給されるようにする。
【発明の開示】
【発明が解決しようとする課題】
【０００４】
物質を身体又は顔の領域、特に爪に塗布するためのアプリケータ性能をさらに改善する必要性があり、本発明は、特に、この必要性を満たそうとするものである。
【課題を解決するための手段】
【０００５】
本発明の態様の１つにおいては、
少なくとも２種類の荒毛、及び／又は、非円形断面の荒毛、及び／又は、直線形ではない、具体的には、波状の荒毛を含む、荒毛の毛房と、
荒毛の毛房を支持するステムと、
シースと、
を含み、該シースが、該ステムの長さの少なくとも一部にわたりこれと協働して空間を形成し、与えられるべき物質の保存を可能にする、物質を、特に爪に塗布するためのアプリケータを提供する。
【０００６】
「少なくとも２種類の荒毛」という用語は、その組成、及び／又は、その寸法、及び／又は、その形状、特に、その縦方向形状部及び／又はその断面が異なることができる荒毛のことを意味する。
【０００７】
少なくとも２種類の荒毛、及び／又は、非円形断面の荒毛を有する毛房は、円形断面の通常の荒毛だけによる単一の種類により構成された荒毛の毛房と比較した場合に、荒毛の毛房の毛管保持能力を増加させることができる。
【０００８】
本発明によれば、第１に、少なくとも、シースとステムとの間に設けられる空間により形成された物質の保存部の存在のために、第２に、荒毛の毛房が少なくとも２種類の荒毛、及び／又は、非円形断面の荒毛を有するために、塗布の質に害をもたらすことなくアプリケータを補充する間の使用時間を増加させることができる。その毛管保持能力により、前述の荒毛の毛房は、シースとステムとの間に形成された空間に含有される物質が、処理されるべき区域の方向に過度に迅速に流れるのを阻止することができる。
【０００９】
したがって、本発明は、メイクアップをきちんと施す可能性を保持しながら、アプリケータにより格納される物質の供給を調整すること、及び、その使用時間を増加させることを可能にする。
【００１０】
荒毛の毛房の組成は、物質のレオロジーに依存する場合がある。荒毛の混合を用いることは、例えば、毛房における各々の荒毛の種類の相対的な割合を調整することにより、アプリケータを比較的容易に物質のレオロジーに適応させることを可能にする。
【００１１】
適切な場合には、及び荒毛の毛房により与えられる毛管保持により、本発明は、物質が過度に迅速に流れるのを恐れることなく、粘性の少ない製剤を用いることを可能にする。
【００１２】
物質の保存部が設けられるのを可能にするように配置される空間は、これ自体は、例えば、シースが物質に浸されたときに、該物質がこの空間を満たすのを可能にするように形成される。
【００１３】
通気孔は、例えば、シースにおいて、少なくとも１つの開口部の形態で設けることが有利である。空気は、さらに、シースをアプリケータ上に取り付ける取り付け方法によっても通気することができる。例えば、シースの上縁と該シースが固定されるアプリケータ部分との間に通気孔を形成することができる。通気孔は、さらに、シースが取り付けられるアプリケータ部分を通して形成することもできる。
【００１４】
一例として、毛房における少なくとも２種類の荒毛の各々は、アプリケータの毛房の総数の少なくとも２％、より好ましくは５％にすることができ、又は、その少なくとも１０％、２０％、３０％又は４０％にすることができる。適切な場合には、アプリケータは、実質的に等しい割合で、２種類の荒毛を含むことができる。
【００１５】
一例として、荒毛の毛房は、荒毛を拡げさせる特性を有する少なくとも２種類の荒毛からなり、したがって、荒毛間に多数の間隙を形成することができ、物質を毛管によって保持することができる。
【００１６】
荒毛の毛房は、異なる寸法、特に、異なる長さ及び／又は断面を有する少なくとも２種類の荒毛を含むことができる。荒毛間の断面及び／又は長さの相対的な違いは、例えば、１０％より大きいか、又はさらに２０％又は３０％より大きくてもよい。長い荒毛の長さは、例えば、短い荒毛の長さより、１０％以上長いものとすることができる。厚い荒毛の最大の横方向寸法、例えば直径は、薄い荒毛の最大横方向寸法より、１５％以上厚いものとすることができる。
【００１７】
荒毛の毛房は、少なくとも１つの波状の荒毛及び少なくとも１つの直線状の荒毛を含むことができる。
【００１８】
この毛房は、さらに、異なる周期的なパターンの波状の荒毛を含むことができる。「周期的なパターン」という用語は、荒毛に沿って、実質的に周期的な形で複製された荒毛の一部のことを示す。少なくとも１つのうねりを呈する周期的なパターンは、３つのコンポーネント、すなわち、例えば正弦波又は鋸歯形状といった形状、振幅、すなわち、荒毛の一般的な縦方向に対して直交する方法で測定された大きさ、及び、空間周波数、すなわち、該荒毛の単位長当たりに複製されるパターン数により定めることができる。単一のパターンを、荒毛の全長にわたり数回繰り返すことができる。荒毛は、１つの単一のパターンを呈してもよいし、又は、１つより少ない単一のパターンを呈してもよい。
【００１９】
荒毛の周期的なパターンは、少なくとも１つのうねり、及び／又は、少なくとも１つの充填材、及び／又は、荒毛の断面における少なくとも１つの変形、及び／又は、ノッチ、及び／又は、他のレリーフ部分を呈することができる。
【００２０】
荒毛の毛房は、例えば、異なるパターン及び／又は周波数を有する波状の荒毛を含むことができる。
【００２１】
荒毛の毛房は、滑りを助ける特性を呈する少なくとも１つの荒毛を含むことができる。
【００２２】
シースはステムとだけ協働し、或いは、荒毛及びステムと協働して、物質の格納を可能にする空間を形成する。シースとステムとの間の空間は、物質が、毛管現象により、前述の空間内に保持される傾向になるように配置することができる。適切な場合には、この空間は、少なくとも幾つかの領域において、例えば、シースの内面とこれに面するステム又は荒毛の毛房の部分との間における間隙が、２ミリメートル（ｍｍ）より大きい、比較的広幅にすることができる。
【００２３】
シースは、該シースとステムとの間の空間と連通する少なくとも１つの横方向開口部を含み、物質が前述の空間の中に入ること、及び／又は、空気が前述の空間の中に入って出て行くことを可能にし、したがって、該空間を物質で満たすのを容易にし、この物質が該空間から荒毛の方向に流れ出て行くのを容易にすることが好ましい。横方向開口部は、５平方ミリメートル（ｍｍ2）より大きく、より好ましくは９ｍｍ2、さらにより好ましくは、１６ｍｍ2、又はさらに２０ｍｍ2又は２５ｍｍ2の断面を呈することが有利である。
【００２４】
シースは、剛性であってもよいし、或いは、可撓性であってもよい。特に、シースは、ステムの材料とは異なる材料で製造することができる。変形態様においては、シースは、同じ材料で製造することができる。
【００２５】
その長さの少なくとも一部にわたり、シースは、完全に平滑な内面及び／又は外面を有することができる。特に、シースは、その内面に、環状フランジ又は溝をもたないものとすることができる。一例として、シースはその内面を平滑にすることができ、ステムはリブその他の粗さのようなレリーフ部分を含むことができる。変形態様においては、シースの内面は、例えば、リブのようなレリーフ部分を含むことができる。
【００２６】
シースは、ステープル留め又は何らかの他の方法により、ステムに固定することができ、シースをステムに対して軸方向に固定することを可能にする。一例として、シースは、ステム上に接着結合又は熱シールすることができる。シースは、さらに、摩擦により及び／又はスナップ嵌めにより、ステムに保持することができる。シースは、例えば、材料の射出成形により、又は、重ね成形により、一体部品として、ステムと一体的に製造することができる。
【００２７】
シースは、例えば、ステムの断面が円形であるか又は長円形であるかによって、円形又は長円形の断面を呈することができる。シースは、さらに、ステムが長円形の場合に、円形の断面を呈することができ、逆もまた同様である。シースの外側断面は、任意的には、一定とすることができる。シースは、例えば、円形断面から長円形断面に変化するようになった変化する内側断面を呈することができる。シースは、荒毛の毛房の方向に先細になる内側断面を呈することができる。適切な場合には、シース及びステムの断面は、実質的には同様とすることができ、例えば、その長さの少なくとも一部にわたり、両方とも長円形とすることができる。
【００２８】
シースは、荒毛の毛房に隣接して自由縁を呈することができ、この自由縁は、完全に円形とすることができる。一例として、シースは、例えば、物質の流れをアプリケータ要素上に集めるために、及び／又は、該物質が該アプリケータ要素の方向に流れるのを容易にするために、その自由端においてノッチを含むことができる。
【００２９】
ステムは、その長さの少なくとも一部にわたり、円形又は長円形の断面を呈することができる。特に、ステムは、該ステムに沿って、荒毛の毛房の所定の領域の方向に流れる物質を運ぶ傾向をもつ形状を呈することができる。このことは、例えば、よりきれいに塗布を行うことを可能にすることができる。
【００３０】
少なくとも、荒毛の毛房に隣接するその端部の近傍において、ステムは、少なくとも１つの凹みを呈する輪郭を有する断面とすることができる。この場合には、荒毛の毛房は、例えば、ステムの端部分において、長軸をもつ長円形断面の開口部を有するハウジング内に固定することができる。上述の凹みは、ステムを断面で観察した場合に、ハウジングの長軸に沿った実質的に中央部に位置することができる。適切な場合には、ステムは、ハウジングの周りに、変化する厚さの壁を含むことができる。
【００３１】
ステムは、例えば、該ステムの少なくとも一部に沿って延びる少なくとも１つの溝を含むことができ、或いは、互いに対向して位置する２つの溝を含むことができる。溝は、ステムに沿って存在する物質の流れを導くのに寄与することができる。
【００３２】
荒毛の毛房は、実質的に、長方形の、円形の、又は何らかの他の形状の断面とすることができる。
【００３３】
シースの自由端は、荒毛の毛房の荒毛において、又はこの近傍において、位置することが好ましい。
【００３４】
適切な場合には、塗布中の荒毛の毛房の移動、及び／又は、ステムの移動が、該ステムとシースとの間の間隙、及び／又は、前述のシースと該荒毛の毛房との間の間隙に、局所的な変形を生成し、これによって、物質の流れに作用するようにすることができる。
【００３５】
荒毛の毛房が平らな場合には、これは、その断面の長軸が、実質的にシースの開口部と平行になるか、又はこれに対して垂直になるように配向することができる。異なる配向もまた想定の範囲内である。
【００３６】
別の態様において、及び上述のものと独立して又はこれと組み合わせて、本発明は、さらに、
アプリケータ要素と、
該アプリケータ要素を支持するステムと、
シースと、
からなり、該シースが、該ステムの長さの少なくとも一部にわたりこれと協働して空間を形成し、与えられるべき物質の保存を可能にし、該シース及び該ステムは、該空間の厚さが、該ステムの長さの少なくとも一部にわたり該ステムの周りで変化するようにされた断面を有するアプリケータを提供する。
【００３７】
特に、シース及びステムは、該シースと該ステムとの間の間隔が、円周の周りで変化するような異なる形状を有する断面を呈することができる。
【００３８】
特に、ステムは、その断面において、空間の幅を局所的に増加させる凹みをもつことができる。
【００３９】
一例として、ステムは、該ステムの少なくとも一部に沿って延びる、例えば、螺旋状の溝のような、少なくとも１つの任意的に直線形の溝を含むことができる。
【００４０】
特に、ステムは、互いに対向して位置する２つの直線形の溝を含むことができる。
【００４１】
ステム上又はシース上に存在する溝は、該シースと該ステムとの間に形成された空間に沿って存在する物質の流れを、アプリケータ要素の特定の領域の方向に、特にその中央領域の方向に導くのに寄与することができる。
【００４２】
溝は、ステム又はアプリケータ要素の横に位置するシースの端部において、軸方向に開いていることが有利である。
【００４３】
凹みは、特に、丸みを帯びた底部のある又はこれのない広範囲の種類にわたる形状とすることができる。凹みの形状は、ステム又はシースの長さに沿って変化することができる。
【００４４】
適切な場合には、ステムの壁厚は、アプリケータ要素を受け取るステムのハウジングの周りに変化するか又は一定にすることができる。
【００４５】
例えば、ステムが、その断面において少なくとも１つの凹みを有する部分を呈するために、該ステムとシースとの間に定められた空間が、円周の周りで変化する厚さを呈する本発明のこれらの態様においては、アプリケータ要素はどのような種類であってもよく、特に、同一の、及び／又は、すべてが円形断面の、及び／又は、すべてが直線形の荒毛により構成することができる。
【００４６】
アプリケータ要素が、全体として平らな形状を呈する場合、例えば、ステム内の細長い形状のハウジング内に固定された荒毛の毛房により構成されるような場合には、シース及び／又はステムは、物質を、実質的に、該アプリケータ要素の中央領域に運ぶように、例えば、該シース及び該ステムを、断面でみてハウジングの長軸に対して垂直なハウジングの中央平面の周りでほぼ対称的な凹みを含むように構成することができる。
【００４７】
ステムの少なくとも一部に沿ったシースの存在は、アプリケータ要素に向かう物質の流れを遅くして、塗布されるべき物質の種類、及び／又は、該アプリケータ要素の種類に適応した流量を得るようにすることを可能にする。
【００４８】
別の態様において、及び上述のものと独立して又はこれと組み合わせて、本発明は、さらに、
ブラシ以外のアプリケータ要素と、
該アプリケータ要素を支持するステムと、
シースと、
からなり、該ステムの長さの少なくとも一部にわたり、これと協働して空間を形成し、与えられるべき物質の保存を可能にするアプリケータを提供する。
【００４９】
特に、アプリケータ要素は、フェルト状の先端部又はフロック加工された末端部とすることができる。上述の実施形態の特徴は、このようなアプリケータに適用することができる。
【００５０】
別の態様において、及び上述のものと独立して又はこれと組み合わせて、本発明は、さらに、
例えば、荒毛の毛房のようなアプリケータ要素と、
該アプリケータ要素を支持するステムと、
シースと、
からなり、該シースは、該ステムの長さの少なくとも一部にわたり、これと協働して空間を形成し、与えられるべき物質の保存を可能にし、該シースは、物質が上述の空間の中に入る寸法の少なくとも１つの横方向開口部、具体的には、５ｍｍ2より大きい断面の横方向開口部を含み、該ステムは、任意的には、該シースに対して縦方向に移動することを阻止される、物質を塗布するためのアプリケータを提供する。
【００５１】
このようなアプリケータは、少なくとも部分的に広幅にされた、横方向開口部に面するネック部を含む受け部の中に受けることができ、物質が、前述の横方向開口部の方向に流れるのを容易にする。ネック部を広幅にすることは、例えば、該ネック部に肩部を形成することにより達成することができる。横方向開口部とこれに面する広幅ネック部の壁との間の距離は、例えば、１．５ｍｍ以上である。
【００５２】
別の態様においては、本発明は、さらに、物質を、特に爪に塗布するための装置を提供し、この装置は、塗布されるべき物質を含有する受け部と、上で定義されたようなアプリケータとからなることにより特徴付けることができる。
【００５３】
この装置は、ステムを支持する閉鎖キャップを含み、受け部はねじ付きネック部を含み、該閉鎖キャップは、該ネック部上にねじ込むようにされたねじ付き取り付けスカートを含むようにすることができる。
【００５４】
この装置は、ワイパを含むことができる。
【００５５】
ネック部は、アプリケータ要素を拭うのを容易にするための鋭い縁を形成する自由縁を含むことができる。ステムは、上述の鋭い縁と係合することができる環状溝を有するプレートを含むことができる。ネック部の上には、この鋭い縁を形成する取付部品を置くことができる。取付部品は、例えば、スナップ嵌めのような種々の方法により、受け部のネック部に固定することができる。
【００５６】
閉鎖キャップは、ステムの長さより長い、及び／又は、受け部の長さより長い長さとすることができる。閉鎖キャップがハンドルを構成する場合には、比較的長い閉鎖キャップは、塗布をより快適なものにすることができ、アプリケータを異なる形で取り扱うことを可能にする。
【００５７】
例えば、ネック部を比較的長くして、これによって、ネック部のねじ山が乾燥した物質で詰まるようになる危険を減少させることができる。適切な場合には、長いネック部は又、シースに形成された横方向開口部をマスクするのに十分なほど長い取り付けスカートを閉鎖キャップに形成するのを可能にすることができる。
【００５８】
シースは、アプリケータが受け部上の適当な位置にある場合には、該受け部に対して半径方向の間隙、特に、０．５ｍｍ以上の間隙とすることができる。
【００５９】
この場合には、シースの上端部は、ネック部の内径より小さい外径とすることができる。
【００６０】
閉鎖キャップは、該閉鎖キャップの内面上に配設された複数のフィンを含むことができ、前述のフィンは、ステムを固定するように働き、特に、該ステムの上端部に存在する管形状の取り付け末端部を受け取ることが可能である。
【００６１】
この装置は、受け部の外面から突出する外側リングを含むことができ、このようなリングは、例えば、摩擦により保持される。このリングは、受け部がその底部及びリングを介して水平面上に置かれた状態で、該受け部の中の液体レベルが、該受け部の開口部の高さより下になる状態を保持するように配置することができる。
【００６２】
この装置は、さらに、受け部上に嵌められ、例えば、摩擦によりそこに保持されるスリーブ、特に、エラストマ性スリーブを含むことができる。このようなスリーブは、例えば、受け部を保持するのを容易にすることができる。
【発明を実施するための最良の形態】
【００６３】
本発明は、非限定的なその実施形態の以下の詳細な説明を読み、添付の図面を検討することにより、より良く理解できる。
【００６４】
図１から図３までに示されるパッケージ及びアプリケータ装置１は、受け部２と、該受け部２上に取り外し可能な方法により固定されたアプリケータ３とからなる。
【００６５】
述べられる実施形態においては、受け部２はネイルエナメルを含有するが、この受け部２に存在する物質が何らかの他の化粧品又はケア製品である場合にも、本発明の範囲を越えることはない。
【００６６】
受け部２は、この中に含有される物質と両立性のあるどのような材料で製造されてもよく、例えば、ガラス、金属、プラスチック、特にＢａｒｅｘ（登録商標）、ポリオレフィン、特にポリエチレン、ポリエチレン／エチルビニルアルコール／ポリカーボネート（ＰＥ／ＥＶＯＨ／ＰＣ）、又はポリエチレン／エチルビニルアルコール／ナイロン（登録商標）（ＰＥ／ＥＶＯＨ／ＮＹＬＯＮ（登録商標））により構成される群から選択された材料で製造されてもよく、このリストは制限的なものではない。
【００６７】
考慮される実施形態においては、受け部２は、その縦方向軸Ｙの上部分において、ネック部４を含み、その外側にはねじ山９が形成されており、この上に、閉鎖キャップ５の取り付けスカート１７をねじ込むことができる。閉鎖キャップは、さらに、アプリケータのハンドルとして働くことができる。
【００６８】
一例として、閉鎖キャップ５の長さは、受け部２の長さより長くてもよい。
【００６９】
アプリケータ３は、その底部において、端部分７を有するステム６を含み、少なくとも２種類の荒毛からなる荒毛１１の毛房１０を支持する。ステム６は、その上部において、例えば、スナップ留めにより及び／又は摩擦により、閉鎖キャップ５を固定する末端部８を含む。考慮される実施形態においては、末端部８は、閉鎖キャップ５が完全にねじ込まれた場合に、ネック部４の上端縁に対して当接するように配置することができるプレート９０を含む。
【００７０】
ステム６により支持される管状シース１５は、前述のステムを取り囲む。考慮される実施形態においては、シース１５は、ステム５を超えて下方に延び、図３に見ることができるように、部分的に荒毛１１を取り囲む。
【００７１】
環状の空間２０が、ステム６と、荒毛１１と、シース１５の内面１６との間に形成される。
【００７２】
シース１５は、上述された環状の空間２０と連通し、取り付けスカート１７に面するように外向きに開いた少なくとも１つの横方向開口部２１を含む。取り付けスカート１７は、外観を改善するように、横方向開口部２１をマスクするのに十分なだけ長いものであることが好ましい。変形態様（図示せず）においては、横方向開口部２１は、取り付けスカート１７の外側の位置で開き、見えていてもよい。
【００７３】
図示実施形態においては、シース１５は可撓性であるが、剛性であっても本発明の範囲を越えることはない。
【００７４】
シース１５は、任意的には、ステム６の材料とは異なる透明な材料で製造されてもよく、図示実施形態においては円形断面を呈する。
【００７５】
考慮される実施形態においては、ステム６もまた円形断面を呈し、その上端部は、末端部８に連結された広幅部分２６を含む。シース１５は、広幅部分２６に対して当接する。
【００７６】
シース１５は、図４に見ることができるように、広幅部分２６の中に挿入された少なくとも１つのステープル４１を用いて、ステム６上に固定することができる。ステープル４１がシース１５上のどこか他の位置に配設されている場合でも、前述のシースが、例えば、接着、溶接、クランピング、スナップ留め、又は何らかの他の方法によりステム６上に固定されている場合でも、本発明の範囲を越えることはない。具体的には、シース１５は、図８に示されるように、単体として、例えば、同じ材料によりシース１５と一体的に製造することができる。この図は、さらに、シース１５上に、例えば、２つの完全に対向する開口部のような１つより多い横方向開口部２１を形成する可能性を示す。
【００７７】
図４を参照すると、ステム６の端部分７は、荒毛１１の毛房１０を受け取るように配置されたハウジング２５を含むことがわかる。
【００７８】
毛房は、例えば、ステープルによりハウジング２５の端壁に固定することができ、荒毛の毛房１０は、例えば半分に折り曲げられて、図示されていないステープルによって、荒毛の長さに沿った中央部で固定され、該ハウジング２５の端壁の中に挿入される。荒毛は、例えば、ステムを荒毛の上に射出成形するか、又は、荒毛をこれに接着結合することによるような、ステープル以外の手段により、前述のステムに固定することができる。
【００７９】
一例として、横方向開口部２１は、図５に見ることができるように、多角形、具体的には正方形又は長方形の断面を呈する。横方向開口部２１の断面は、物質Ｖが容易に通って流れるのに十分なだけ大きいものであることが有利である。一例として、横方向開口部の断面、又は該横方向開口部の断面の合計は、５ｍｍ2より大きく、より好ましくは９ｍｍ2、より好ましくは１６ｍｍ2、又はさらに２０ｍｍ2又は２５ｍｍ2である。考慮される実施形態においては、横方向開口部２１は、実質的には５ｍｍの側部を有する。
【００８０】
塗布前に、受け部は、閉鎖キャップ５が適当な位置にある状態で振ることができ、したがって、より多くの物質Ｖが空間２０の中に浸透する。
【００８１】
図３に見ることができるように、アプリケータ３が、受け部２から取り外されたときには、物質Ｖは空間２０内に含有されたまま残る。２種類の荒毛を用いる結果として、増加した毛管保持を呈する毛房１０は、空間２０に含有される物質Ｖが、塗布中に、過度に迅速に流れることを阻止する。したがって、アプリケータ３は、補充間の比較的長い使用時間を呈することができ、例えば、該アプリケータ３を受け部２の中に戻して浸すことなく、エナメルを単層で爪に塗布できるようにする。
【００８２】
流量は、より容易に制御することができ、必要に応じて、例えば、比較的厚い物質の層を塗布することを可能にする。
【００８３】
荒毛の毛房１０は、特に、曲げにおいて異なる機械的特性を呈する少なくとも２つの荒毛１１を含むことができ、したがって、荒毛間に間隙があり、毛管現象により物質を保持することができる、十分に離間された荒毛の毛房を得ることを可能にする。
【００８４】
荒毛の毛房１０は、さらに、非円形断面を有し、増加した物質保持能力を呈する荒毛を含むことができる。
【００８５】
図７に示される実施形態においては、荒毛１１の毛房１０は、異なる直径を呈する少なくとも２つの荒毛を含む。
【００８６】
変形態様において又は付加的に、荒毛１１の毛房１０は、図９に示されるように、その形状、空間周波数、及び／又はその振幅が異なる、異なる波状のパターンを呈する少なくとも２つの波状の荒毛を含むことができる。
【００８７】
図１０及び図１１は、波状の荒毛の２つの例を示す。図１０の荒毛は実質的に正弦波形状を呈するが、図１１に示される荒毛は鋸歯状の形状を呈する。
【００８８】
荒毛１０は、さらに、例えば、波状の荒毛が２０％ないし４０％の範囲の割合で存在し、直線状の荒毛が６０％ないし８０％の範囲の割合で存在する、例えば、３０％の波状の荒毛及び７０％の直線状の荒毛というような波状の荒毛又は直線状の荒毛を含むことができる。
【００８９】
用いられる荒毛１１は、任意的には円形であり、特に、少なくとも１つの毛管溝を含む断面を呈することができる。これらの断面が円形でない場合には、荒毛１１はねじることができる。一例として、荒毛は、少なくとも１つの螺旋状溝を含むことができる。
【００９０】
具体的には、例えば、図１２に示されるような平らな部分をもつ円形状、図１３に示されるような平らな形状、例えば図１４に示される十字形又は図１５に示される３つの枝を有するような星型形状、図１６に示されるようなＵ字形状、図１７に示されるようなＨ字形状、図１８に示されるようなＴ字形状、図１９に示されるようなＶ字形状、例えば、図２９に示される円形状又は特に図２１に示される正方形の多角形の形状のような中空形状、図２２に示されるような分岐を呈する形状、例えば、図２３に示される三角形の形状、図２４に示される正方形の形状、又は図２５に示される六角形の形状のような多角形の形状、特に図２６に示されるレンズ形状又は図２７に示される砂時計形状のような長円形の形状のような、図１２から図２８までに概略的に示される形状のいずれか１つを有する断面を呈する荒毛を用いることが可能である。さらに、図２８に示されるように、互いにヒンジ留めされた部分を有する荒毛を用いることも可能である。
【００９１】
適切な場合には、図２９に示されるようなそれぞれの端部ボール３１を形成するために、荒毛１１を、例えば熱処理のような処理に曝すことができ、又は、図３０に示されるようなフォーク３２を形成するために、機械処理することができる。
【００９２】
荒毛１１は、任意的に、図３１に示されるように、先細になる先端部を呈することができる。
【００９３】
さらに、図３２に示されるように、フロック加工された荒毛１１を用いることができ、もちろん、荒毛１１は、図３３に示されるように、粒子充填材３３を含有するプラスチック材料を押し出すことにより作ることができる。粒子充填材は、例えば、荒毛の粗さを増加させ、物質保持能力を改善する。
【００９４】
適切な場合には、荒毛１１は、磁気その他の特性を呈することができる。
【００９５】
本来、すべての荒毛１１の組み合わせが可能である。
【００９６】
荒毛は、少なくとも、概して、例えば、ポリオレフィン、及び特にポリエチレン、ポリアミド、及び特にＰＡ６、ＰＡ６／６、ＰＡ６／１０、ＰＡ６／１２、又はＰＡ１１、例えば、Ｒｉｌｓａｎ（登録商標）、ポリマーＨｙｔｒｅｌ−Ｐｅｂａｘ、及びさらに他の熱可塑性ポリマー、から選択された合成材料から作ることができる。
【００９７】
荒毛１１の少なくとも一部は、滑りを助ける特性を呈する材料で作ることができ、例えば、これらは、Ｒｉｌｓａｎ（登録商標）であるか又はモリブデンジスルフィド、グラファイト、又はポリテトラフルオロエチレンを含有するＰＡ／１２、具体的にはテフロン（登録商標）で作ることができ、このリストは制限的なものではない。
【００９８】
空間２０は、第１にシース１５の間に形成することができ、第２にステム６と荒毛１１との間に形成することができる。図３４に示される変形態様においては、シース１５はステム６とだけ協働して空間２０を形成することができ、該シース１５は、ステム６の端部分を越えて下方に延びず、毛房１０を取り囲まない。
【００９９】
図３５に示されるように、シース１５は、その底部１８において、ノッチ４０、具体的にはＶ字形状のノッチを呈することができる。一例として、ノッチは、物質の流れを、アプリケータ要素の所定の領域上に集めるのを助けることができる。
【０１００】
ステム６の断面は、図６に示されるように円形であってもよいが、本来は、さらに他の形状を呈してもよい。
【０１０１】
したがって、図３６及び図３７に示されるように、ステム６は、その底端部からの長さの少なくとも一部において、長円形の断面を呈することができる。
【０１０２】
シース１５は、その上部分において、ステム６の円形−円筒形広幅部分２６の上に固定するようにされた円形断面を呈することができ、その底部分においては、該ステム６の形状に適応するようにされた非円形部分を呈することができる。
【０１０３】
シース１５は、その底端部において、ステム６及び／又は毛房１０と協働して、比較的狭い間隙６０を形成する。間隙６０は、ステム６の外形を辿ることができる。塗布中、間隙の幅は変化することができ、具体的には、荒毛１１の毛束１０が移動する結果として、及び／又は、ステム６が曲がる結果として、局所的に増加し、したがって、空間２０内に含有される物質Ｖが、容易に該荒毛１１の方向に流れるのを可能にすることに寄与し、及び／又は、前述の流れを制御することに寄与する。
【０１０４】
適切な場合には、シース１５がステム６上に組み立てられる間に、該ステム６に対する該シース１５の角度方向の位置決めを可能にするために、付加的なレリーフ部分６１及び６２を、それぞれ、ステム６及びシース１５に形成することができる。
【０１０５】
一例として、レリーフ部分６２は、ステム６の広幅部分２６から突出する三角形形状の突起形態であり、レリーフ部分６１は、シース１５の厚さで、その内面及びその上端部に対して開く同様に三角形の形状のノッチ形態である。シーリングは、何らかの他の方法、例えば、アプリケータの円錐形状部分を受け部のネック部に対して押し付けることにより得ることができ、この円錐形状部分は、例えば、プレート９０の下に存在する。
【０１０６】
荒毛の毛房１０を受け取るハウジング２５が円形対称でない場合、例えば、長円形の形状である場合には、ステープル６４により、荒毛の毛房をハウジング内に固定することができ、該ステープルは、ハウジングの長軸Ｘに対して、図７０に示されるように前述の長軸Ｘに対して垂直に、又は、図７１に示されるように前述の長軸Ｘに対して平行に向けることができる。ハウジングにおけるステープル６４の向きは、毛房１０が広がる程度に寄与することができる。
【０１０７】
図４０から図４８に示されるように、ステム６は、その長さの少なくとも一部にわたり、特に、その端部分７において、少なくとも１つの凹み４６を含むことができる。ハウジング２５は、図４０に示されるように、軸Ｘに沿って細長い長方形断面の開口部を呈することができる。ハウジング２５を取り囲む材料の厚さｅは、一定でなくてよい。図４０においては、ステム６は、２つの対抗する凹み４６を含む。凹みは、物質の流れを、アプリケータ要素の中央領域まで運ぶことができる。
【０１０８】
図４１は、ステム６と協働し、前述のステムの周辺部全体にわたり空間２０を形成するシース１５を示す。空間２０は、ステム６の周辺部の長さ全体にわたり変化する寸法を呈することができる。具体的には、空間２０の寸法は、凹み４６においてより大きいことができ、したがって、これらの位置において、より大きな物質の保存部を構成することを可能にする。凹み４６から離れると、ステム６を断面で観察した場合には、前述のステムの輪郭は凸状とすることができる。
【０１０９】
ハウジング２５の形状、及び／又は、前述のハウジング２５が形成されるステム６の端部分７の形状は、修正することができる。
一例として、図４２から図５４までは、特に、端部分の種々の形状を示す。
図４２においては、ステム６は、単一の凹み４６だけを含むのを見ることができる。
図４３においては、ハウジング２５の開口部は、長方形ではない、例えば、実質的には、楕円形の断面を呈することができるのを見ることができる。
【０１１０】
図４４においては、ハウジング２５の開口部は、その長辺において外側に面する２つの浅い凹み２５ｃを定める断面を呈することができるのを見ることができ、前述の２つの凹み２５ｃは、例えば、ステム６の外側に形成された凹みより目立たない。
図４５においては、凹み４６は、比較的狭く、例えば、物質をハウジング２５に沿った中央部に流すことをさらに改善することができるのを見ることができる。
図４６においては、凹み４６は、実質的に、三角形の外形の断面を呈することができるのを見ることができる。
【０１１１】
図４７は、ハウジング２５の縦方向端部の近傍の前述のハウジング２５の壁厚ｅ1は、該ハウジング２５に沿った実質的に中央部の壁厚ｅ2より小さくてもよいことを示す。必要に応じて、厚さｅ1は最小にすることができる。小さい厚さｅ1は、ハウジング２５を長軸Ｘに沿って長くすることを可能にし、したがって、非常に広幅の又は容易に広げることができるブラシを得ることを可能にする。
図４８は、異なる形状の凹み４６を有する可能性を示す。
凹み４６が１つ又はそれ以上あるかどうかに関わらず、ステム６の端部分７は、荒毛の毛房１０を受け取るために、ハウジング２５において様々な断面で製造することができる。
【０１１２】
図４９から図５４は、ステム６の端部分７及びハウジング２５の断面の様々な例を示す。
具体的には、端部分７の断面は、図４９に示されるような卵形又は楕円形、図５１及び図５２に示されるような多角形、特に正方形又は長方形、図５３に示されるようにキドニー形状、図５４に示されるような星型形状、又は図５０に示されるような鋸壁形の形状とすることができる。
毛房１０の荒毛の長さは、荒毛１１の自由端が、実質的には、図５７に示されるように、ステム６の縦方向軸Ｙに対して垂直な単一の平面に含まれるように選択することができる。
変形態様においては、毛房１０の荒毛１１の自由端は、平面ではない、例えば、ステム６から離れた側において凸状の表面Ｃに沿って位置することができ、これは図５５に示される。
図５６に示される別の変形態様においては、毛房１０の荒毛の自由端は、ステムの軸Ｙに対して傾斜する平面の表面に実質的に沿って位置される。
【０１１３】
図５７に示されるように、荒毛１１の毛房１０を受け取るハウジング２５は、一定の断面を呈することができ、したがって、例えば、比較的互いに密接した荒毛を有するブラシを得ることを可能にする。図５８に示されるように、ハウジング２５を外向きに広げることにより、荒毛１１を、さらに互いから離れるように拡げて、より広幅の毛房１０を形成することができる。
荒毛１１の毛房１０は、異なる断面形状を呈することができる。図５９においてはブラシは平らであり、図６０においてはブラシは円形であり、図６１においては、毛房１０の断面は、爪の曲率に対してより良く適合するように形状が湾曲されている。
【０１１４】
図６２は、内面にレリーフ部分９２をもつシースを製造する可能性を示し、前述のレリーフ部分は、例えば、環状リブである。
図６３に示されるように、ワイパをもたないネック部４は、その上端部において、平らであってもよいし、又は鋭い縁５６を呈してもよい自由縁を含む。
鋭い縁の存在は、受け部がステム６の末端部８の底面５７と接触するようになることによりシールされることを確実にする。さらに、アプリケータ３を受け部２から取り外す場合には、ユーザは、ネック部４の自由縁５５に対して物質を支持する毛房１０を拭うことができる。鋭い縁５６のために、物質は、受け部２の中に流れる。鋭い縁５６は、種々の形状を呈することができる。
適切な場合には、及びネック部が鋭い縁５６を含む場合には、図６９に示されるように、鋭い縁５６を受け取るために、溝６６を末端部８のプレート９０の底面５７に製造することができる。このことは、さらに、受け部が閉じられた場合のシーリングを改善することができる。
図６４に示される変形態様においては、鋭い縁５６を、受け部のネック部４の上に嵌められた部品１１０上に形成することができる。
取付部品１１０は、スナップ留めによりネック部４上に固定することができ、前述のネック部は、例えば、外側環状溝１１１を含み、該部品１１０は、対応する内側に向けられたフランジ１１２を含む。
取付部品は、例えば、プラスチック材料で製造することができる。
【０１１５】
塗布されるべき物質を含有する受け部２は、図６５及び図６６に示されるように、本発明の範囲を越えることなく、異なる形状を呈することができる。
図６５においては、受け部２は、通常の形状を呈し、物質Ｖを均質にするためのボールを含むことができる。
図６６においては、受け部２は、底部から中心の方向に先細になり、次いで、再び上部の方向に広がる外側部分を有し、保持を容易にする、くびれた形状を呈する。
くびれた形状は、受け部２自体の形状であってもよいし、又は、それ自体は実質的には、例えば、円筒形である、受け部２の上に嵌められたスリーブ、特にエラストマ性スリーブの形状であってもよい。
【０１１６】
閉鎖キャップ５は、さらに、本発明の範囲を越えることなく、異なる形状、具体的には、図６６に示されるような、実質的には円錐形状を呈することができる。
図６７に示されるように、受け部２の内面と開口部２１におけるシース１５との間に付加的な空間を与えるように、ネック部４に肩部を形成して広幅の形状を与え、したがって、該開口部２１を通って浸透する物質により空間２０を満たすことをより容易にすることができる。付加的な空間の幅は、例えば、１．５ｍｍより大きい。
図６７に示される実施形態においては、ネック部４には、シース１５と協働する広幅底部分４ａが形成されて、該シース１５と該ネック部４のねじを支持する上部分４ｂとの間に存在する空間７０より大きい環状空間を形成する。
使用中、特に、ユーザが受け部２を上下に振ったときに、物質Ｖは、通路６９を通って流れることにより、横方向開口部２１に到達することができる。
【０１１７】
図６８は、ワイパ部材７２を受け部２に製造する可能性を示し、これは、例えば、ネック部４に挿入され、リム７３により、該ネック部４の上端部に当接するようになる。
ワイパ部材７２は、受け部２が閉じられた場合に、横方向開口部２１の上方で、シース１５の外面に当接するようになる環状リップ７４を含むことができる。
【０１１８】
図７３から図７６に示される実施形態においては、閉鎖キャップ５は、その上端部が平らな細長い形状を呈する。
キャップの内面は、図示実施形態において異なる長さを呈する複数のフィン１２０を含む。
図７４から図７６に示されるフィン１２０は、末端部８を、特に摩擦により固定するのを容易にすることができる。
図７７に示される実施形態においては、受け部２の外面には、例えばエラストマ性リングのようなリンク１２５が形成されており、これは、例えば摩擦により該受け部２に保持されている。
このリング１２５は、受け部２を保持することを容易にし、及び／又は、前述の受け部２に含有される物質がここから流れ出て行くことなく、開いている受け部を水平面に置くことを可能にすることができる。
本発明は、ブラシにより構成されるアプリケータ要素に対して有利に適用されるが、本発明は、さらに、荒毛の毛房１０が、ブラシ以外のアプリケータ要素、例えば、フロック加工された末端部、フォーム状の末端部、又は図７２に示されるようなフェルト状の先端部で置き換えられた場合にも、利点を呈する。
【０１１９】
図７８及び図７９は、本発明の態様により製造されたアプリケータの実施形態を示し、このアプリケータは、少なくとも１つの凹部４６が形成されたステム６と、例えば、直線状で円形の断面のようなどのような種類のものであってもよい荒毛の毛房により構成されたアプリケータ要素とを含む。
図７８は、さらに、スナップ留めによりステムに固定されたシースを示す。
考慮される実施形態においては、図７９に見ることができるように、ステム６は、２つの対向する溝４６を含むが、該ステム６は、溝を１つだけ含んでいてもよく、一例として、図４０から図４８を参照して上述された部分の１つをより一般的に呈する。
ステム６は、さらに、少なくとも１つの非直線状の溝、例えば、螺旋状の溝を含むことができる。
ステム及びシースは、さらに、他の形状を呈して、該ステムの周りの空間厚さを変化させるのを可能にすることができる。例えば、及び図８０に示されるように、シースが、少なくとも１つの溝１３１を呈し、又は、実際は、その半径方向の内面において、２つの溝１３１を呈し、したがって、凹み１３２にしわを寄せ、ステム６は、本実施形態においては、その断面においてどのような凹みもない外形を呈する。
図示されない変形態様においては、シース及びステムの両方が、これらの断面において、それぞれの凹みを呈する。
【０１２０】
シースとステムとの間の空間における空気は、横方向開口部２１を通すこと以外によって通気することができる。
一例として、図８１は、横方向開口部をもたないシース１５を有するアプリケータを示す。ステム６は、シースとステムとの間に軸方向に、及びプレート９０の下ではあるが該シースの上縁の上方に半径方向に、という両方に延びるノッチを含み、該シースの底端部が物質に浸されたときに、空気の通気を可能にする通気孔１３０を形成する。
図８２には、使用中に、ステム及びシースの所定の角度方向の移動を可能にするヒンジ２００をアプリケータに形成する可能性が示される。
ヒンジ２００は、例えば、フィルム状のヒンジであるか、又は、ワイヤ形状又は砂時計形状のステム部分の拘束部である。
前述の部分は、末端部に連結することができる。
ヒンジは、さらに、例えば、１つ又はそれ以上の軸において、ボール及びケージと併せて、異なるように製造することができる。
シースは、図示実施形態においては、ヒンジの下で、ステムに固定されており、該ステムと共にピボット運動する。
使用中、ステムの向きのおかげで、塗布の快適さが改善される。
【０１２１】
本発明は、上述の実施形態に限定されるものではなく、種々の実施形態の特性は、互いに組み合わせることができ、特に、荒毛の毛房は、具体的には、図１、図６、図３４、図３６、図６５、図６６、図６７、及び図６８においては、何らかの他のアプリケータ要素で置き換えることができる。
特許請求の範囲を含む説明全体を通して、「からなる」という用語は、異なるように特定されない限りは、「少なくとも１つからなる」という用語と同議であるものとして理解されるべきである。
【図面の簡単な説明】
【０１２２】
【図１】受け部が閉じた状態の、爪に物質を塗布するための装置の概略側面図である。
【図２】受け部が開いた状態の、図１の装置の概略図である。
【図３】図２の装置の縦断面である。
【図４】アプリケータ要素が省かれた、図３のステム及びシースを分離して示す概略軸方向断面である。
【図５】図３のシースを分離して示す図である。
【図６】図４のＶＩに沿って見た下からの図である。
【図７】図１から図３までの装置の荒毛の毛房の端部を示す図である。
【図８】ステムが単体としてシースと一体的に製造された、異なる実施形態の部分縦断面である。
【図９】異なる形状を示す少なくとも２種類の荒毛からなる荒毛の毛房を示す部分概略図である。
【図１０】波状の荒毛を分離して示す概略部分側面図である。
【図１１】波状の荒毛を分離して示す概略部分側面図である。
【図１２】特に、荒毛の断面の例を示す。
【図１３】特に、荒毛の断面の例を示す。
【図１４】特に、荒毛の断面の例を示す。
【図１５】特に、荒毛の断面の例を示す。
【図１６】特に、荒毛の断面の例を示す。
【図１７】特に、荒毛の断面の例を示す。
【図１８】特に、荒毛の断面の例を示す。
【図１９】特に、荒毛の断面の例を示す。
【図２０】特に、荒毛の断面の例を示す。
【図２１】特に、荒毛の断面の例を示す。
【図２２】特に、荒毛の断面の例を示す。
【図２３】特に、荒毛の断面の例を示す。
【図２４】特に、荒毛の断面の例を示す。
【図２５】特に、荒毛の断面の例を示す。
【図２６】特に、荒毛の断面の例を示す。
【図２７】特に、荒毛の断面の例を示す。
【図２８】特に、荒毛の断面の例を示す。
【図２９】荒毛の端部の例を示す。
【図３０】荒毛の端部の例を示す。
【図３１】荒毛の端部の例を示す。
【図３２】荒毛の端部の例を示す。
【図３３】荒毛の端部の例を示す。
【図３４】シースと荒毛の毛房を支持するステムとを示す概略部分軸方向断面であり、前述のシースは、該ステムとだけ協働して、物質を保持することを可能にする空間を形成する。
【図３５】遠位端にノッチを含むシースを分離して示す図である。
【図３６】シースが長円形断面のステムを取り囲む実施形態の正面図である。
【図３７】図３６のＸＸＸＶＩＩ−ＸＸＸＶＩＩにおける断面である。
【図３８】相補的なレリーフ部分をもつステム及びシースを製造する可能性を示す。
【図３９】相補的なレリーフ部分をもつステム及びシースを製造する可能性を示す。
【図４０】２つの外側の凹みを呈するステムを示し、荒毛は示されていない断面図である。
【図４１】シースにより取り囲まれた図４０のステムを示す。
【図４２】ステムの他の例を示す図４０と同様な図である。
【図４３】ステムの他の例を示す図４０と同様な図である。
【図４４】ステムの他の例を示す図４０と同様な図である。
【図４５】ステムの他の例を示す図４０と同様な図である。
【図４６】ステムの他の例を示す図４０と同様な図である。
【図４７】ステムの他の例を示す図４０と同様な図である。
【図４８】ステムの他の例を示す図４０と同様な図である。
【図４９】荒毛の毛房を受け取るためのハウジングの形状の例を示す概略断面図である。
【図５０】荒毛の毛房を受け取るためのハウジングの形状の例を示す概略断面図である。
【図５１】荒毛の毛房を受け取るためのハウジングの形状の例を示す概略断面図である。
【図５２】荒毛の毛房を受け取るためのハウジングの形状の例を示す概略断面図である。
【図５３】荒毛の毛房を受け取るためのハウジングの形状の例を示す概略断面図である。
【図５４】荒毛の毛房を受け取るためのハウジングの形状の例を示す概略断面図である。
【図５５】荒毛の毛房の異なる端部形状を示す。
【図５６】荒毛の毛房の異なる端部形状を示す。
【図５７】荒毛の毛房の異なる端部形状を示す。
【図５８】荒毛の毛房の異なる端部形状を示す。
【図５９】異なる形状の断面を呈する荒毛の毛房の例を示す。
【図６０】異なる形状の断面を呈する荒毛の毛房の例を示す。
【図６１】異なる形状の断面を呈する荒毛の毛房の例を示す。
【図６２】その内面にレリーフ部分をもつシースを製造する可能性を示す部分概略縦断面である。
【図６３】受け部のネック部の異なる実施形態を示す概略部分軸方向断面図である。
【図６４】受け部のネック部の異なる実施形態を示す概略部分軸方向断面図である。
【図６５】本発明の装置の他の実施形態を示す図である。
【図６６】本発明の装置の他の実施形態を示す図である。
【図６７】広幅のネック部をもつ受け部を製造する可能性を示す部分縦断面である。
【図６８】ワイパ部材をもつ受け部を形成する可能性を示す部分縦断面である。
【図６９】ステムの異なる実施形態の部分縦断面である。
【図７０】荒毛の毛房をステムの対応するハウジング内に固定するように働くステープルを配置する方法を示す。
【図７１】荒毛の毛房をステムの対応するハウジング内に固定するように働くステープルを配置する方法を示す。
【図７２】荒毛の毛房を別のアプリケータ要素で置き換える可能性を示す。
【図７３】閉鎖キャップの例を分離して示す図である。
【図７４】図７３のキャップの部分概略断面である。
【図７５】図７４のＬＸＸＶ−ＬＸＸＶにおける概略断面である。
【図７６】図７４のＬＸＸＶＩに沿って見た概略図である。
【図７７】受け部の異なる実施形態である。
【図７８】図２と同様な、異なる実施形態を示す図である。
【図７９】図を明確にするために、荒毛が省かれた、図７８のＬＸＸＩＸにおける断面である。
【図８０】異なる実施形態を示す図７９と同様な図である。
【図８１】別の異なる実施形態を示す図７８と同様な図である。
【図８２】他の実施形態の部分縦断面概略図である。
【符号の説明】
【０１２３】
１：アプリケータ装置
２：受け部
３：アプリケータ
４：ネック部
５：閉鎖キャップ
６：ステム
１０：毛房
１１：荒毛
１５：シース
２０：空間
２１：開口部
２５：ハウジング
４６：凹み
【図１】
0004806532.tif 000002
【図２】
0004806532.tif 000003
【図３】
0004806532.tif 000004
【図４】
0004806532.tif 000005
【図５】
0004806532.tif 000006
【図６】
0004806532.tif 000007
【図７】
0004806532.tif 000008
【図８】
0004806532.tif 000009
【図９】
0004806532.tif 000010
【図１０】
0004806532.tif 000011
【図１１】
0004806532.tif 000012
【図１２】
0004806532.tif 000013
【図１３】
0004806532.tif 000014
【図１４】
0004806532.tif 000015
【図１５】
0004806532.tif 000016
【図１６】
0004806532.tif 000017
【図１７】
0004806532.tif 000018
【図１８】
0004806532.tif 000019
【図１９】
0004806532.tif 000020
【図２０】
0004806532.tif 000021
【図２１】
0004806532.tif 000022
【図２２】
0004806532.tif 000023
【図２３】
0004806532.tif 000024
【図２４】
0004806532.tif 000025
【図２５】
0004806532.tif 000026
【図２６】
0004806532.tif 000027
【図２７】
0004806532.tif 000028
【図２８】
0004806532.tif 000029
【図２９】
0004806532.tif 000030
【図３０】
0004806532.tif 000031
【図３１】
0004806532.tif 000032
【図３２】
0004806532.tif 000033
【図３３】
0004806532.tif 000034
【図３４】
0004806532.tif 000035
【図３５】
0004806532.tif 000036
【図３６】
0004806532.tif 000037
【図３７】
0004806532.tif 000038
【図３８】
0004806532.tif 000039
【図３９】
0004806532.tif 000040
【図４０】
0004806532.tif 000041
【図４１】
0004806532.tif 000042
【図４２】
0004806532.tif 000043
【図４３】
0004806532.tif 000044
【図４４】
0004806532.tif 000045
【図４５】
0004806532.tif 000046
【図４６】
0004806532.tif 000047
【図４７】
0004806532.tif 000048
【図４８】
0004806532.tif 000049
【図４９】
0004806532.tif 000050
【図５０】
0004806532.tif 000051
【図５１】
0004806532.tif 000052
【図５２】
0004806532.tif 000053
【図５３】
0004806532.tif 000054
【図５４】
0004806532.tif 000055
【図５５】
0004806532.tif 000056
【図５６】
0004806532.tif 000057
【図５７】
0004806532.tif 000058
【図５８】
0004806532.tif 000059
【図５９】
0004806532.tif 000060
【図６０】
0004806532.tif 000061
【図６１】
0004806532.tif 000062
【図６２】
0004806532.tif 000063
【図６３】
0004806532.tif 000064
【図６４】
0004806532.tif 000065
【図６５】
0004806532.tif 000066
【図６６】
0004806532.tif 000067
【図６７】
0004806532.tif 000068
【図６８】
0004806532.tif 000069
【図６９】
0004806532.tif 000070
【図７０】
0004806532.tif 000071
【図７１】
0004806532.tif 000072
【図７２】
0004806532.tif 000073
【図７３】
0004806532.tif 000074
【図７４】
0004806532.tif 000075
【図７５】
0004806532.tif 000076
【図７６】
0004806532.tif 000077
【図７７】
0004806532.tif 000078
【図７８】
0004806532.tif 000079
【図７９】
0004806532.tif 000080
【図８０】
0004806532.tif 000081
【図８１】
0004806532.tif 000082
【図８２】
0004806532.tif 000083